(57)【要約】【課題】  別途測距センサを必要とせずにドラム上の記録媒体の浮きを検知できる画像形成装置及び画像形成方法を提供する。【解決手段】  この画像形成方法は、シート状の記録媒体をドラムの外面に巻き、ドラムを回転しながら前記ドラムに対向して配置された記録ヘッドから光を射出しドラム上の記録媒体に露光する際に、記録ヘッドの焦点位置を露光中に適正に保つためのオートフォーカス機構の測距機能により露光前にドラムに巻かれた記録媒体の記録面と記録ヘッドとの距離を計測し、計測された距離が規定範囲内にあるか否かを判定する。【選択図】  図６
2005250105.tif 000002
【特許請求の範囲】
【請求項１】
シート状の記録媒体をドラムの外面に巻き、前記ドラムを回転しながら前記ドラムに対向して配置された記録ヘッドから光を射出し前記ドラム上の記録媒体に露光する画像形成装置において、
前記記録ヘッドの前記ドラムに対する距離を測距機能により測定し焦点位置を露光中に適正に保つためのオートフォーカス機構と、
前記ドラムに巻かれた前記記録媒体の記録面と前記記録ヘッドとの距離を露光前に前記オートフォーカス機構の測距機能によって計測し、その計測された距離が規定範囲内にない場合はエラーと判定する手段と、を備えることを特徴とする画像形成装置。
【請求項２】
前記記録ヘッドは、露光前に位置する前記ドラムの端部におけるホーム位置から露光のために副走査方向に移動するとともに前記フォーカス機構を一体に備えるように構成され、
前記露光前に前記ホーム位置近傍の前記ドラム上の記録面で一周分の前記記録面と前記記録ヘッドとの距離を前記測距機能により計測し、その計測された距離が前記規定範囲内にない場合はエラーと判定することを特徴とする請求項１に記載の画像形成装置。
【請求項３】
シート状の記録媒体をドラムの外面に巻き、前記ドラムを回転しながら前記ドラムに対向して配置された記録ヘッドから光を射出し前記ドラム上の記録媒体に露光する画像形成方法において、
前記記録ヘッドの焦点位置を露光中に適正に保つためのオートフォーカス機構の測距機能により露光前に前記ドラムに巻かれた前記記録媒体の記録面と前記記録ヘッドとの距離を計測するステップと、
前記計測された距離が規定範囲内にあるか否かを判定するステップと、を含むことを特徴とする画像形成方法。
【請求項４】
前記記録ヘッドが露光前に位置する前記ドラムの端部におけるホーム位置近傍の前記ドラム上の記録面において、一周分の前記記録面と前記記録ヘッドとの距離を前記測距機能により計測することを特徴とする請求項３に記載の画像形成方法。
【請求項５】
前記計測された距離が前記規定範囲内にないとき露光を中止することを特徴とする請求項３または４に記載の画像形成方法。
【発明の詳細な説明】
【技術分野】
【０００１】
本発明は、オートフォーカス機構を持つ円筒外面走査型の画像形成装置及び画像形成方法に関するものである。
【背景技術】
【０００２】
円筒ドラムの外面にシート状の記録媒体である感光材料を巻いて、その感光材料をドラム内から吸引して固定した状態で円筒ドラムを回転させながら感光材料に露光し画像記録を行う画像形成装置が公知である。かかる画像形成装置では、感光材料が円筒ドラムの外面から浮き上がると、感光材料面で光学的な焦点がずれて画像がぼけたり、露光中に円筒ドラムから感光材料が剥離するといった問題が発生する可能性がある。このため、従来より、測距センサによって記録媒体の浮きを監視する機能がある。例えば、下記特許文献１では、監視装置が発光部と受光部を有する反射型の光センサからなる測距センサとコントローラとによりドラムに印刷版が確実に巻き付けられているか否かを監視する。
【０００３】
露光時に記録媒体が浮いたりまたは剥離するといった不具合が起こる原因として、例えば、記録媒体が始めから浮いて巻かれ、そのままドラムに吸引されてしわができるため等が考えられる。このため、露光前に記録媒体がドラムに正しくセットされているか確認できれば、露光中に記録媒体が剥離したり画像の一部がピンぼけになるといった不具合を検知できる。
【０００４】
しかし、記録媒体の浮きを検知するために、上述のように新たに測距センサ等を追加すると、部品点数が増加しコストアップとなる。また、ドラム全体に渡って記録媒体の浮き状態を検知しようとすると、検知に時間がかかり、装置の画像形成の生産性低下につながってしまうといった問題がある。
【特許文献１】特開２００３−２８７９０３公報
【発明の開示】
【発明が解決しようとする課題】
【０００５】
本発明は、上述のような従来技術の問題に鑑み、別途測距センサを必要とせずにドラム上の記録媒体の浮きを検知できる画像形成装置及び画像形成方法を提供することを目的とする。また、かかる記録媒体の浮きの検知に要する時間が少なくて済むようにする画像形成装置及び画像形成方法を提供する。
【課題を解決するための手段】
【０００６】
上記目的を達成するために、本発明による画像形成装置は、シート状の記録媒体をドラムの外面に巻き、前記ドラムを回転しながら前記ドラムに対向して配置された記録ヘッドから光を射出し前記ドラム上の記録媒体に露光する画像形成装置において、前記記録ヘッドの前記ドラムに対する距離を測距機能により測定し焦点位置を露光中に適正に保つためのオートフォーカス機構と、前記ドラムに巻かれた前記記録媒体の記録面と前記記録ヘッドとの距離を露光前に前記オートフォーカス機構の測距機能によって計測し、その計測された距離が規定範囲内にない場合はエラーと判定する手段と、を備えることを特徴とする。
【０００７】
この画像形成装置によれば、記録ヘッドの焦点位置を露光中に適正に保つためのオートフォーカス機構の測距機能を利用して露光前に記録媒体の記録面と記録ヘッドとの距離を計測し、その計測された距離が規定範囲内にないときエラーと判定し、記録媒体に浮きが発生していると判断できるので、別途測距センサを必要とせずにドラム上の記録媒体の浮きを検知できる。
【０００８】
上記画像形成装置において、前記記録ヘッドは、露光前に位置する前記ドラムの端部におけるホーム位置から露光のために副走査方向に移動するとともに前記フォーカス機構を一体に備えるように構成され、前記露光前に前記ホーム位置近傍の前記ドラム上の記録面でほぼ一周分の前記記録面と前記記録ヘッドとの距離を前記測距機能により計測し、その計測された距離が前記規定範囲内にない場合はエラーと判定することができる。ドラム上で記録媒体にできるしわ等の浮きはドラムの回転軸方向（副走査方向）に延びて形成されるのが大部分であるので、記録ヘッドが露光前に位置するホーム位置の近傍のドラム端部でドラムのほぼ一周分について計測を行うだけでしわ等の浮きを検知できる。このため、記録媒体の浮きの検知に要する時間が少なくて済む。
【０００９】
本発明による画像形成方法は、シート状の記録媒体をドラムの外面に巻き、前記ドラムを回転しながら前記ドラムに対向して配置された記録ヘッドから光を射出し前記ドラム上の記録媒体に露光する画像形成方法において、前記記録ヘッドの焦点位置を露光中に適正に保つためのオートフォーカス機構の測距機能により露光前に前記ドラムに巻かれた前記記録媒体の記録面と前記記録ヘッドとの距離を計測するステップと、前記計測された距離が規定範囲内にあるか否かを判定するステップと、を含むことを特徴とする。
【００１０】
この画像形成方法によれば、記録ヘッドの焦点位置を露光中に適正に保つためのオートフォーカス機構の測距機能を利用して露光前に記録媒体の記録面と記録ヘッドとの距離を計測し、その計測された距離が規定範囲内にないときエラーと判定し、記録媒体に浮きが発生していると判断できるので、別途測距センサを必要とせずにドラム上の記録媒体の浮きを検知できる。
【００１１】
上記画像形成方法において、前記記録ヘッドが露光前に位置する前記ドラムの端部におけるホーム位置近傍の前記ドラム上の記録面において、一周分の前記記録面と前記記録ヘッドとの距離を前記測距機能により計測することで、ドラム上で記録媒体にできるしわ等の浮きはドラムの回転軸方向（副走査方向）に延びて形成されるのが大部分であるので、記録ヘッドが露光前に位置するホーム位置の近傍のドラム端部でドラムのほぼ一周分について計測を行うだけでしわ等の浮きを検知できる。このため、記録媒体の浮きの検知に要する時間が少なくて済む。
【００１２】
また、前記計測された距離が前記規定範囲内にないとき露光を中止することが好ましい。記録媒体の浮きを検知すると、露光を中止するので、画像の一部がピンぼけになるといった不具合を未然に防止できる。
【発明の効果】
【００１３】
本発明の画像形成装置及び画像形成方法によれば、記録ヘッドの焦点位置合わせのためのオートフォーカス機構を記録媒体の浮き検知に兼用でき、別途測距センサを必要とせずにドラム上の記録媒体の浮きを検知できるので、部品点数が増加せずに装置のコストアップにつながらない。また、かかる記録媒体の浮きの検知に要する時間が少なくて済むので、装置の画像形成の生産性に悪影響を与えない。
【発明を実施するための最良の形態】
【００１４】
以下、本発明を実施するための最良の形態について図面を用いて説明する。図１は本実施の形態による画像形成装置全体の外観を示す斜視図である。図２は図１の画像形成装置の内部を正面側から見た図である。図３は図２の画像形成装置のドラム及び光学ユニットを上部から見た要部平面図である。
【００１５】
図１、図２に示すように、本実施の形態による画像形成装置１は、印刷出力対象の絵柄、色調、文章、文字等の確認を行うためのカラープルーフ（校正用サンプル）を作成するものであって、記録媒体であるシート状の銀塩カラー感光材料（以下、単に「記録紙」ともいう。）に露光し画像を形成する露光ユニット１１と、露光された感光材料を現像する現像ユニット２１と、を備える。なお、カラープルーフを作成するために外部の画像処理装置であるＲＩＰ(Raster Image Processor)でラスターデータから網点画像データを作成し、この網点画像データがＲＩＰから露光ユニット１１に転送されるようになっている。
【００１６】
露光ユニット１１は、前面からメンテナンスできるように開閉可能な前面パネル５と、各種情報の表示とタッチパネルからなり装置全体の操作のために入力可能な表示部２と、内部にロール状の記録紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００１７】
現像ユニット２１は、メンテナンスのために開閉可能な上面パネル６と、前面には、現像処理液等の補充等のために開閉可能に設けられた補給パネル７と、を備える。
【００１８】
図２に示すように、画像形成装置１の露光ユニット１１は、内部にロール状に巻かれた記録紙を収納した専用のカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙Ｓを外周面に真空吸引し保持しながら主走査のために回転方向Ｒに回転する回転ドラム１０と、回転ドラム１０上の記録紙の記録面に対しＬＥＤ光やレーザ光等の光ビームを露光する光学ユニット１６と、光学ユニット１６を副走査のために副走査方向（図１の紙面垂直方向）Ｈ（図３）に搬送する副走査部１７と、画像記録後の回転ドラム１０上の記録紙を剥離する剥離部材１５と、を備える。露光後の記録紙は出口１９及び接続部１９ａを通して現像ユニット２１へと搬送される。
【００１９】
図２の画像形成装置１は、更に、搬送ローラ対４２の下流側に配置され回転ドラム１０に向けて送られる記録紙の搬送に従い従動回転する従動ローラ３１と、記録紙を回転ドラム１０との間で搬送する従動ローラ３１と、回転ドラム１０上から剥離部材１５で剥離された記録紙を回転ドラム１０と従動ローラ３１とで搬送するときに記録紙をガイドするアキュームガイド部材１８と、アキュームガイド部材１８で送られてきた記録紙を出口１９へと更に搬送する搬送ローラ対３２と、搬送ローラ対３２に達した記録紙をアキュームするためにアキュームガイド部材１８の一部が開放されることで形成されるアキュームレート部３０と、搬送ローラ対３２の下流側近傍に配置された記録紙の先端を検出する検出センサ３３と、を備える。
【００２０】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた記録紙の長さを求めることができる。また、下流側の搬送ローラ対３２は、ワンウェイクラッチ構造を有し、記録紙の下流側への送り出し方向への回転が自在となっている。
【００２１】
図２の搬送ローラ対４０，４１の下流側近傍には記録紙を切断するカット部１０ａがそれぞれ配置されており、各カット部１０ａはモータ（図示省略）により回転駆動されるロータリカッタを有し、上述の記録紙の長さ測定に基づいて記録紙を所定長さに切断する。
【００２２】
図２の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で排出部２７から外部の集積部２８へと排出する。
【００２３】
図３のように、画像形成装置１の回転ドラム１０は、回転軸部１４’の回転軸１４ａ及び回転軸部１８の回転軸１５ａが軸受３３ａ、３３ｂを介して支持台３４ａ、３４ｂに回転可能に軸支されている。回転ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動により回転ドラム１０が回転する。また、回転ドラム１０の回転軸１５ａには、ロータリーエンコーダ３７が設けられ、回転のためのパルス信号を出力してドラムの回転に同期した画素クロック制御に用いる。
【００２４】
回転ドラム１０の他方の回転軸１４ａは吸引ブロアＰ１に連結されている。回転ドラム１０の表面には吸着孔３１ｃが回転軸方向に直線状に延びて多数形成されており、吸引ブロアＰ１の駆動により回転ドラム１０の内部が減圧されて記録紙が回転ドラム１０の表面に吸着される。
【００２５】
光学ユニット１６は、副走査部１７のステージ１７ａ上に構成され、副走査部１７によりドラム軸と平行に移動可能に構成され、回転ドラム１０に吸着された記録紙の記録面に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ３２チャンネル分の基板上に配置された発光ダイオード（ＬＥＤ）を備え、各ＬＥＤユニット３２０，３２１，３２２からの光ビームは、ミラー３２５、３２６、３２７を介して、光学ヘッド３３１から回転ドラム１０上の記録紙の記録面に画像を露光する。露光シャッタ３３２は露光ソレノイド３３３により開閉することで、露光開始／終了時に光路の開閉を行なう。
【００２６】
光学ユニット１６の光学ヘッド３３１は、集光レンズ３３１ａ（図４の破線で示す）を含む複数枚のレンズを備え、各ＬＥＤユニット３２０，３２１，３２２からの光ビームを回転ドラム１０上の記録紙の記録面に合焦させる。
【００２７】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００２８】
光学ユニット１６は、副走査部１７のステージ１７ａが移動ベルト３４０に固定され、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に副走査方向Ｈ、その反対の方向Ｈ’に移動する。
【００２９】
また、図３のように、回転ドラム１０の外周面のドラム軸と平行の延長上位置にはフォトダイオード等の受光素子からなる測光部５７が配置されており、図３のホーム位置の光学ユニット１６が方向Ｈ’に若干移動し各ＬＥＤユニット３２０〜３２２からの光ビームが測光部５７に入射することで、各チャンネルの各ＬＥＤの光ビームの光量を測定できるようになっている。
【００３０】
図３に示すように、吸引ブロアＰ１は空気吸引ポンプにより吸引連結管５１を通して回転ドラム１０内を吸引し、露光ユニット１１による露光開始前に回転ドラム１０内を負圧にし記録紙を外周面に吸着する。
【００３１】
次に、図３の光学ユニットの光学ヘッド３３１とドラム上の記録紙の記録面との相対距離をピント調整のために変化させるオートフォーカス機構について図４、図５を参照して説明する。図４は、図３の光学ユニット上の光学ヘッドのピント調整機構であるオートフォーカス機構を示す側面図である。図５は図４のオートフォーカス機構及び記録紙の浮き検知のための制御系を示すブロック図である。
【００３２】
図３，図４に示すように、オートフォーカス機構６１は、ステージ１７ａ上に配置されるとともに光学ヘッド３３１が取り付けられる取付台６２と、ボールねじの形成された回転軸６３ａを介して取付台６２の光学ヘッド３３１を回転ドラム１０の円周面に対し図４の横方向に移動させるステッピングモータ６３と、図３のステージ１７ａ上の光学ヘッド３３１の近傍に測距機能のために配置された反射型光センサ６５と、を備える。
【００３３】
オートフォーカス機構６１における図３の反射型光センサ６５は発光部からの光を回転ドラム１０の外周面に吸着された記録紙の記録面に照射し、その反射光を受光することで回転ドラム１０の外周面上の記録紙の記録面までの距離を測定し、この測定距離に基づいて光学ヘッド３３１のピント位置を適正に保つように光学ヘッド３３１の位置を図４の横方向に微調整するようになっている。
【００３４】
図５のように、画像形成装置１の制御部６０は、中央演算処理装置（ＣＰＵ）から構成され、露光中にオートフォーカス機構６１を制御し、反射型光センサ６５による測距結果に基づいて光学ヘッド３３１の前面のレンズ３３１ａと回転ドラム１０の記録紙の記録面Ｓ１との距離ｄが一定となるようにステッピングモータ６３に必要な駆動パルス信号数をドライバ６７から発生させてステッピングモータ６３を駆動する。
【００３５】
上述のようにしてステッピングモータ６３を回転させてボールねじの形成された回転軸６３ａが回転することで光学ヘッド３３１をステージ１７ａ及び取付台６２に対し移動させて光学ヘッド３３１のピント位置を調整する。
【００３６】
また、制御部６０は、露光前に副走査モータＭ７を駆動して図３のホーム位置にある光学ユニット１６を副走査方向Ｈに若干移動させ光学ヘッド３３１を回転ドラム１０の端部で記録紙の一端に対向させてから、ドラムを一回転させてオートフォーカス機構６１の反射型光センサ６５により図４の距離ｄを一周分計測し、その計測された距離が所定の規定範囲内であるか否かを判定部６８で判定する。
【００３７】
図４の破線のように記録紙にしわＳＷが発生すると、計測された距離が規定範囲内でなくなるので、判定部６８はエラーと判定し、その旨を例えば表示部６９に表示し、ユーザに警告を与えるとともに、画像形成装置１の動作を停止させるようになっている。
【００３８】
次に、図１〜図５の画像形成装置１の記録紙の浮き検知動作について図６、図７を参照して説明する。図６は図１〜図５の画像形成装置１の記録紙の浮き検知の動作を説明するためのフローチャートである。図７は図６で検知可能なドラム上の記録紙にしわが形成された状態を模式的に示す斜視図である。
【００３９】
まず、図１，図２の装填部１２または１２’から記録紙を搬送ローラ対４０〜４２等で回転ドラム１０に向けて搬送し、カット部１０ａで所定長さに切断した記録紙を回転ドラム１０に巻き付け（Ｓ０１）、吸引ブロアＰ１を作動して吸引により保持する（Ｓ０２）。
【００４０】
光学ユニット１６は副走査方向Ｈの図３のホーム位置にあるが、図７のように光学ヘッド３３１及び反射型光センサ６５が回転ドラム１０上の記録紙の一端部Ｓ２に対向し、その記録面との間の距離を測定できるように光学ユニット１６を副走査方向Ｈに若干移動させて停止させる（Ｓ０３）。
【００４１】
図７の位置で回転ドラム１０を例えば回転方向Ｒに回転させながら一周分図４の距離ｄを測定する（Ｓ０４）。この測定した距離が所定の規定範囲内であるか否かを判定し（Ｓ０５）、規定範囲内であれば、記録紙の記録面Ｓ１に露光を行うことで画像を形成し（Ｓ０６）、露光済みの記録紙を現像ユニット２１に搬送し、現象処理を行い（Ｓ０７）、現像処理された記録紙を排出部２７を通して集積部２８に排出する（Ｓ０８）。
【００４２】
また、上記ステップＳ０５で測定した距離が所定の規定範囲内でない場合は、図７のように、回転ドラム１０上の記録紙Ｓの記録面Ｓ１にしわＳＷ等が発生し、記録紙に浮きがあると判断し（Ｓ０９）、表示部６９に警告表示する（Ｓ１０）とともに、画像形成装置１の動作を停止させる（Ｓ１１）。
【００４３】
これにより、露光が中止になり、記録紙Ｓの記録面Ｓ１に形成された画像の一部がピンぼけになるといった不具合を未然に防止できるとともに、ユーザは、回転ドラム１０からしわの発生した記録紙を除去し、新たな記録を供給させることで正常な状態に復帰させることができる。
【００４４】
以上のように、本実施の形態によれば、光学ヘッド３３１の焦点位置合わせのためのオートフォーカス機構６１を記録紙の浮き検知に兼用できるので、別途測距センサを必要としない。このため、部品点数が増加せずに装置のコストアップにつながらない。
【００４５】
また、記録紙にしわができるときは、図７のように、しわＳＷは殆どの場合、回転ドラム１０の長手方向（副走査方向Ｈ）に延びて形成されるので、光学ユニット１６を若干移動させてから回転ドラム１０上の記録紙Ｓの一端部Ｓ２で回転ドラム１０を１回転させるだけで測定が終了できる。このように、記録紙Ｓの一端部Ｓ２近傍のみをチェックするだけでよく、回転ドラム１０の全体に渡って測定する必要がないので、記録紙の浮きの検知に要する時間は少なくて済み、装置の画像形成の生産性に悪影響を与えない。
【００４６】
以上のように本発明を実施の形態により説明したが、本発明はこれらに限定されるものではなく、本発明の技術的思想の範囲内で各種の変形が可能である。例えば、本発明による画像形成装置はカラープルーフの作成以外にも適用できることは勿論である。また、図４の光学ヘッド３３１の位置調整のために、ステッピングモータの代わりに、例えば、ピエゾ素子等を利用してもよい。
【００４７】
また、記録紙の浮きの検知を行う回転ドラム１０の長手方向位置は、図７のような位置に限定されずに、記録紙Ｓの一端部Ｓ２から若干長手方向に移動した位置であってもよい。
【図面の簡単な説明】
【００４８】
【図１】本実施の形態による画像形成装置全体の外観を示す斜視図である。
【図２】図１の画像形成装置の内部を正面側から見た図である。
【図３】図２の画像形成装置のドラム及び光学ユニットを上部から見た要部平面図である。
【図４】図３の光学ユニット上の光学ヘッドのオートフォーカス機構を示す側面図である。
【図５】図４のオートフォーカス機構及び記録紙の浮き検知のための制御系を示すブロック図である。
【図６】図１〜図５の画像形成装置１の記録紙の浮き検知の動作を説明するためのフローチャートである。
【図７】図６で検知可能なドラム上の記録紙にしわが形成された状態を模式的に示す斜視図である。
【符号の説明】
【００４９】
１ 画像形成装置
１０ 回転ドラム
１１ 露光ユニット
１６ 光学ユニット
２１ 現像ユニット
６０ 制御部
６１ オートフォーカス機構
６３ ステッピングモータ
６５ 反射型光センサ
６８ 判定部
６９ 表示部
３３１ 光学ヘッド（記録ヘッド）
Ｈ 副走査方向
Ｐ１ 吸引ブロア
Ｓ 記録紙（記録媒体）
Ｓ１ 記録面
Ｓ２ 一端部
ＳＷ しわ
ｄ 距離
【図１】
2005250105.tif 000003
【図２】
2005250105.tif 000004
【図３】
2005250105.tif 000005
【図４】
2005250105.tif 000006
【図５】
2005250105.tif 000007
【図６】
2005250105.tif 000008
【図７】
2005250105.tif 000009